(57)【要約】【課題】  この発明は、面発熱シート及び電気接続具を備えた電熱床板又は電熱壁板と、これによる電気床暖房を具備することを目的としたものである。【解決手段】  この発明は、上面板と下面板の間に電熱シートを内蔵させると共に、前記電熱シートの電気接続具を設置して電熱板としたことを特徴とする電熱建材により目的を達成した。【選択図】        図１
2006045783.tif 000002
【特許請求の範囲】
【請求項１】
上面板と下面板の間に電熱シートを内蔵させると共に、前記電熱シートの電気接続具を設置して電熱板としたことを特徴とする電熱建材。
【請求項２】
下面板は、断熱材としたことを特徴とする請求項１記載の電熱建材。
【請求項３】
電熱シートは、遠赤外線Ｐ．Ｔ．Ｃ．面発熱ヒーターとしたことを特徴とする請求項１記載の電熱建材。
【請求項４】
電熱板は、電熱壁板又は電熱床板としたことを特徴とする電熱建材。
【請求項５】
上面板と、下面板の間に電熱シートを一体的に内蔵させてなる電熱床板を、順次並列して敷設すると共に、前記電熱シートの各電気接続具を夫々接続したことを特徴とする電熱床暖房装置。
【請求項６】
上面板と、下面板の間に電熱シートを一体的に内蔵させてなる電熱床板を、順次並列して敷設すると共に、前記電熱シートの各電気接続具を夫々接続し、最終電熱床板の電気接続具は電気配線溝に収容し、該電気配線溝に蓋板を設けたことを特徴とした電熱床暖房装置。
【請求項７】
請求項１記載の電熱板を壁下地板上へ順次並列して敷設すると共に、前記電熱板の電気接続具を順次接続したことを特徴とする電熱壁暖房装置。
【請求項８】
請求項１記載の電熱板を根太上へ順次並列して敷設するに際し、隣接する電熱板の電熱シートの電気接続具を順次接続することにより全電熱床暖房の敷設を終了することを特徴とした電熱床暖房の施工方法。
【請求項９】
電気的接続は、電熱床板の端面部に設置した挿入端子と、管端子とし、前記電熱床板の隣接端面の当接状態にすることで接続完了となることを特徴とした請求項５記載の電熱床暖房の施工方法。
【発明の詳細な説明】
【技術分野】
【０００１】
この発明は電熱シートを内蔵した電熱板を、所定の面積に敷設して、壁暖房及び床暖房を構成することを目的とした電熱建材、電熱壁暖房装置及び電熱床暖房装置並びにその施工方法に関する。
【背景技術】
【０００２】
床暖房システムには、電熱床暖房と、温水床暖房が知られており、夫々実用に供せられている。また、壁暖房は使用されていない。
【０００３】
前記電熱床暖房については、発熱体として、ニクロム線ヒーターを用いる場合と、遠赤外線面発ヒーターを用いる場合又は遠赤外線Ｐ．Ｔ．Ｃ．面発ヒーターを用いる場合が知られており、何れにしても、その敷設には、電気の専門技術者が複雑な施工をすることになっている。
【特許文献１】特許第２６０７２１３号
【発明の開示】
【発明が解決しようとする課題】
【０００４】
前記従来の電熱床暖房の施工は、根太上に下地板を張り込み、その上又は下に断熱材（絶縁板）を施工し、ついで電熱ヒーターを敷設し、該電熱ヒーターの上に絶縁施工をした後、通常の床板を敷設することになる。
【０００５】
従って、捨て板施工までは大工仕事であり、ついで電熱ヒーターの敷設は電気仕事であり、更に仕上げ床板施工は大工仕事であって、床暖房の構成に一人の作業では施工できない問題点があった。
【０００６】
そこで、まず根太上へ下地板施工を行なってから、電気技術者と代り、電熱ヒーターの敷設を行い、その完成後、仕上げ床板を施工することになり、仕事の配分上合理性を欠く場合が多かった。例えば、下地板施工の終了により大工仕事が中断されるおそれがある。一方電気技術者は、家屋内の一般電気配線の時機と、電熱ヒーターの敷設時機とが離れがちであって、仕事量の合理的配分に欠ける問題点があった。
【０００７】
前記不合理性を改善する為に、大工に電熱ヒーターを施工させる場合も考えられるが、一般に大工は電気的知識経験が不十分の為に、温度測定用のサーミスターを忘れて施工したり、電気接続具の取扱いが不十分の為に、接続不良、漏電、リード線の切断、絶縁不良など、幾多の問題点を生じるおそれがあった。
【課題を解決するための手段】
【０００８】
この発明は、電熱シートを埋設すると共に、各電気接続具も設置して電熱板としたので、施工者に高度の電気的知識が欠如していても、完全かつ確実に床暖房の設置に伴う電気的接続ができるようになり、前記従来の問題点を解決したのである。
【０００９】
即ち電熱建材の発明は、上面板と下面板の間に電熱シートを内蔵させると共に、前記電熱シートの電気接続具を設置したことを特徴とした電熱建材であり、下面板は断熱材としたものであり、電熱シートは、遠赤外線Ｐ．Ｔ．Ｃ．面発熱ヒーターとしたものである。また電熱板は、電熱壁板又は電熱床板としたものである。
【００１０】
また他の発明は、上面板と、下面板の間に電熱シートを一体的に内蔵させてなる電熱床板を、順次並列して敷設すると共に、前記電熱シートの各電気接続具を夫々接続したことを特徴とする電熱床暖房装置であり、上面板と、下面板の間に電熱シートを一体的に内蔵させてなる電熱床板を、順次並列して敷設すると共に、前記電熱シートの各電気接続具を夫々接続し、最終電熱床板の電気接続具は電気配線溝に収容し、該電気配線溝に蓋板を設けたことを特徴とした電熱床暖房装置である。
【００１１】
次に他の発明は、請求項１記載の電熱板を壁下地板上へ順次並列して敷設すると共に、前記電熱板の電気接続具を順次接続したことを特徴とする電熱壁暖房装置である。
【００１２】
また施工方法の発明は、請求項１記載の電熱板を順次並列して敷設するに際し、隣接する電熱板の電熱シートの電気接続具を順次接続することにより全電熱床暖房の敷設を終了することを特徴とした電熱床暖房の施工方法であり、電気的接続は、電熱床板の端面部に設置したプラグと、コンセントなどの電気接続具とし、前記電熱床板の隣接端面の当接状態にすることで接続完了となるものである。
【００１３】
この発明において使用される電熱シートの遠赤外線Ｐ．Ｔ．Ｃ．（Ｐｏｓｉｔｉｖｅ  Ｔｅｍｐｅｒａｔｕｒｅ  Ｃｏｅｆｆｉｃｉｅｎｔ）面発熱ヒーターは、絶縁フィルムに、カーボンペーストを塗布して遠赤外線発生面を設け、この上へ電極（例えば厚さ０．２ｍｍ、幅５ｍｍの銅テープ）を所定間隔で並列設置し、通電回路としたものである。
【００１４】
前記従来の電熱シートを研究し、安全性、均等性、効率向上などを鋭意研究の結果、図１に示すような新電熱シートを完成したのである。
【００１５】
前記電熱シートは、例えば、合成樹脂繊維よりなる不繊布上へ、カーボン微粉末と、接着剤を混合したカーボンペーストを塗布して遠赤外線発熱層を設け、該遠赤外線発熱層の上部に銅箔（例えば厚さ０．１ｍｍ）よりなる電極条を所定間隔で並列固定し、前記電極条の一端に電線を接続して発熱シートとし、この発熱シートを合成樹脂絶縁シートで上下を被覆し、その下面にアルミ箔を被着して電熱シートを構成した。
【００１６】
前記カーボンペーストの厚さによって、発熱量を制約し、昇温限度（例えば６０℃以下）を規制することができる。
【００１７】
この発明の電熱床板は、通常の要領によって床板の下地板上へ電熱床板を施工すればよいので、大工仕事とし、又は大工でなくとも要領が判れば素人でも施工できると共に、電気接続は、通常のプラグとコンセント方式（電気接続具）で挿入接続であるから、容易確実に施工できる。
【００１８】
またこの発明の電熱床板を電源と連結する場合に使用する電気配線溝専用床板、又は床板の中に配線溝を作り、施工後に電気接続の点検ができるように、例えば点検部の蓋板の一端を蝶番で取り付け、他端を永久磁石で固定し、自由に開閉できるようにしてある。
【００１９】
また賃貸住宅等の建物で、既設床にこの発明の床板を直接ビス止めする敷設が不可能な場所においては、元の床板上へビス又は釘で止めないで、保護板を敷設し、かつ囲い部などで床暖房を敷設し、移動可能な床暖房とすることもできる。
【００２０】
この発明の床暖房の配線は、電熱床板の縦同士を連結し、次に縦に連結した電熱床板の横配線は、配線溝を有する配線専用床板を敷設する。前記電熱床板の敷設工事は、床板に専用特殊ビスで止め、電熱床板の縦間の組立接続は、電極盤に取付けた差込み接続端子を接続し、コントローラー又は電源に接続する。前記接続は従来普通に使用されている技術を用いる。
【００２１】
前記は、主として床暖房について説明したが、壁暖房についても、電熱板の取扱いは全く同一に付説明を省略する。
【発明の効果】
【００２２】
この発明によれば、電熱シートを内蔵し、かつ電気接続具を備えた電熱板を順次敷設すると共に、夫々の発熱配線は、電気接続具で接続すればよいので、専門的電気技術者又は大工技術者は不要となり、作業の合理化と、工期の短縮及び工費の低減ができる効果がある。
【００２３】
また賃貸住宅においても、既設の床板上へ電熱床板を展開すればよいので、敷設と取り外しが自由にできる効果がある。
【００２４】
従って新築工事においては、大工等のみで敷設できるが、既設床上に設置する場合は、床暖房セットを購買し、買主が容易に組み立てることができるので、一般組立家具と同様に、比較的安価に入手し、必要な面積の床暖房用床板を容易に組み立てることができる効果がある。
【発明を実施するための最良の形態】
【００２５】
この発明は上面板と下面板（断熱材）との間に遠赤外線Ｐ．Ｔ．Ｃ．面発熱ヒーターを挟着固定させると共に、前記電熱シートの電気接続具を設置して電熱床板を構成した。
【００２６】
前記電熱床板を根太上に設けた下板上へ、順次並列設置し、前記電熱床板の電気接続具を互に接続すれば、この発明の電熱床暖房装置ができる。
【００２７】
前記電気接続具は、プラグとコンセントの如く、単に雌雄接続具の挿入接続であるから、施工が容易確実であり、単に電熱床板を並列し、電気接続具を順次接続すれば、組立完了が電熱床暖房の施工完了となる。
【００２８】
この発明における発熱層は、カーボンペーストで構成されているから、設定温度以上に昇温するおそれがないので、安全性が大きい。
【実施例１】
【００２９】
この発明の面発熱シート２（電熱シートの一例）を図１に基づいて説明すれば、ポリエステル繊維よりなる不繊布２０上にカーボンペーストを塗布して発熱層２１を設け、該発熱層２１上に銅箔よりなる電極条２２ａ、２２ｂ、２２ｃ、２２ｄを長手方向に等間隔設置して、電熱シート２３とし、該電熱シート２３の外側をポリエステルシート２４で被覆し、前記ポリエステルシート２４の一外面にアルミ箔２５を層着し、前記電極条２２ａ、２２ｂ、２２ｃ、２２ｄのリード線２６、２６をプラグ２７に接続して、この発明の面発熱シート２を構成した。図中２８は絶縁テープである。
【００３０】
前記カーボンペーストは、自動的に熱制御ができるので、カーボン密度を規制することによって、発熱による温度の上限を定めることができる。従って、上限温度を、例えば４０℃、５０℃、６０℃などの低温に設定することができる。
【００３１】
前記面発熱シート２の各構成材料は、何れも薄いので、例えば、全厚さを０．５ｍｍ程度とすることもできる。従って、各実施例図は作図上実際のシートより著しく厚く図示されているが、実用上は極めて薄く、かつ小容積に納まり、面発熱シート２を入れる為に床板の寸法的不都合を生じるおそれはない。
【００３２】
即ち断熱材と、床板との間に挟着して使用する場合であっても、面発熱シート２を使用しない床板との間に厚さ上の差異は極めて小さい。従って適当な固定具（例えば釘、ねじ類）で床板と断熱材とを固定すれば、面発熱シート２の有無に拘らず、同一厚さの床板として取り扱うことができる。
【００３３】
次に図２の実施例について説明すると、例えばポリスチロールなどの低発泡の断熱板１の上面に面発熱シート２を敷設し、面発熱シート２の上面に、上面板３を当接して、この発明の電熱床板４を構成したものである。
【００３４】
前記断熱板１に対し、上面板３（木製）を図２のように右側にずらして段部９を設け、この段部９に前記面発熱シート２のコンセント又はプラグ（電気接続）などが設置してある。従って左右の床板４ａ、４ｂを当接すれば（図５）、夫々のプラグ又はコンセントが床板４のプラグ又はコンセントと接続させることができる。合成樹脂を低発泡させてなる矩形の断熱板１（下面板）の上面へ面発熱シート２を載置し、前記面発熱シート２の上面に、上面板３（床板）を当接して一体的に固定し、この発明の電熱床板４を構成した（図２）。
【００３５】
前記接続段部は、図４、５のように、隣接電熱床板４ａ、４ｂに対し、長手方向に接続できるようになっている。
【００３６】
前記面発熱シート２は、カーボンペーストを塗布して発熱層としているので、遠赤外線を発生し、床板上の人体などを肉体の内部まで加温する特徴がある。
【００３７】
また前記面発熱シート２は下面へアルミ箔２５を被覆したので、輻射熱、遠赤外線などが下部方向へ逃げるのを未然に防止することができる。
【００３８】
前記面発熱シート２の電気接続の関係を図４、５について説明すると、前記のように、面発熱シート２の両端部には、リード線２６、２６とプラグ２７又はコンセント２９、２９に接続する。前記プラグ２７又はコンセント２９は、下面板１に固着され、かつ面発熱シート２は、下面板１と、上面板３とに挟着されているので、床板４ａ、４ｂは一体化されている。前記面発熱シート２は作図上５ｍｍ程度の厚さになっているが、実施例は０．５ｍｍ程度である。但し、プラグ２７及びコンセント２９は、相当の厚みがある。
【００３９】
前記図５、６に示すように、各床板４ａ、４ｂの段部が互に重なって、同一平面状の接合部を形成している。従って、床板の敷設状態は平面となり、通常の床板と同一である。
【実施例２】
【００４０】
この発明の他の実施例を図６、７について説明すると、低発泡合成樹脂よりなる矩形の断熱板６の上面へ面発熱シート２を固定する。
【００４１】
次に、下面に、前記断熱板６を嵌挿できる大きさの凹入部８を設けた上面板７の前記王入部８へ、前記面発熱シート２付きの断熱板６を嵌挿固定して、この発明の電熱床板１０を構成した（図６）。図中５は電気接続具である。
【００４２】
前記実施例における上面板７は、例えば厚さ１２ｍｍの木製であり、凹入部８の深さを６ｍｍとする。前記上面板７の凹入部８に、その深さと同一厚さの断熱板６（面発熱シート付）を嵌挿固定すれば、一体的電熱床板１０ができる。この実施例の電気的接続具については、実施例１と同一に付詳細な説明を省略する。この発明の実施例は、上面板７と同一厚さの電熱床板１０ができる特質がある。
【実施例３】
【００４３】
この発明の他の実施例を図８について説明すると、根太１１上の下板１７上へ、前記電熱床板４、４を順次敷設すれば、暖房床１８ができ上がる。前記暖房床１８には、一側にコード１９を介してプラグ２７が接続されているので、このプラグ２７を暖房すべき部屋内のコンセントに接続すれば、サーミスターなどの制御器を介して暖房床１８に送電される。
【００４４】
前記実施例において、電熱床板４、４は、断熱板１上へ面発熱シート２を敷設し、面発熱シート２の上部へ上面板３を重ねて一体的に固着（例えば接着剤で固着）したものである。従って、通常の床板と同様に取り扱うことができる。
【００４５】
部屋暖房の場合には、このような電熱床板４を複数並列敷設する（図９）。この電熱床板４の端部に配線溝３０を設け、この中に電気接続具（例えばコンセント３１）を設置し、各面発熱シート２の各プラグを前記コンセント３１に接続し、該コンセント３１のコード１９に、プラグ２７を接続すれば、出力をまとめることができる。
【００４６】
前記配線溝３０には、開閉蓋３３の一側が蝶番３４により開閉可能に取り付けられ、開閉蓋３３の他側には磁石片３５が固定され、側壁端面に鉄片３６が固定されて、固定具３７を形成している。
【００４７】
従って、開閉蓋の開閉により電気接続部分を随時点検することができる。
【００４８】
前記のように、実施例１、２、３で示すような電熱床板を任意の床面積に敷設すれば、部屋の面積に適合する床暖房を提供することができる。
【実施例４】
【００４９】
この発明の壁暖房の実施例を図１０について説明すると、断熱板１と、表面板３ａとの間に面発熱シート２を挟着固定して電熱壁板３９を構成し、前記面発熱シート２の電気接続具１６を連結している。
【００５０】
前記電熱壁板３９は壁下地４０、４０に並列固着して必要熱量の暖房装置とする。前記各電熱壁板３９の電気接続具は、例えば挿入電極１４と管電極１５により接続する。
【００５１】
即ち絶縁筒３７、３７内へ、挿入電極１４又は管電極１５を夫々固定すると共に、各電極の一端へ、リード線２６を接続してある。従って、前記電熱壁板３９を並列し、各電気接続具１６を接続すれば、この発明の壁暖房装置４１が完成する。
【図面の簡単な説明】
【００５２】
【図１】（ａ）この発明の電熱シートの一部を破切した平面図、（ｂ）同じく一部省略した断面拡大図。
【図２】同じく電熱床板の実施例の斜視図。
【図３】同じく展開斜視図。
【図４】同じく電気接続を示す平面図。
【図５】同じく正面図。
【図６】同じく他の実施例の斜視図。
【図７】同じく展開斜視図。
【図８】同じく床暖房装置の一部破切した説明図。
【図９】（ａ）同じく暖房床板の一部平面図、（ｂ）同じく一部断面した正面図。
【図１０】（ａ）同じく暖房壁板の設置状態の断面図、（ｂ）同じく電気接続具の断面拡大図。
【符号の説明】
【００５３】
１  断熱板
２  面発熱シート
３、７  上面板
４、１０  電熱床板
５  電気接続具
６  断熱板
８  凹入部
９  接続段部
１１、１１ａ  電極
１２  プラグ
１３  コンセント
１４  挿入電極
１５  管電極
１６  電気接続具
１７  下板
１８  暖房床
１９  コード
２０  不繊布
２１  発熱層
２２ａ、２２ｂ、２２ｃ、２２ｄ  電極条
２３  電熱シート
２４  ポリエステルシート
２５  アルミ箔
２６  リード線
２７  プラグ
２８  絶縁テープ
２９、３１  コンセント
３０  配線溝
３７  絶縁筒
【図１】
2006045783.tif 000003
【図２】
2006045783.tif 000004
【図３】
2006045783.tif 000005
【図４】
2006045783.tif 000006
【図５】
2006045783.tif 000007
【図６】
2006045783.tif 000008
【図７】
2006045783.tif 000009
【図８】
2006045783.tif 000010
【図９】
2006045783.tif 000011
【図１０】
2006045783.tif 000012